(57)【要約】      （修正有）【課題】エンジンの出力回転を機体左側から掻込装置に伝動して、作業者の良好な視界を確保できるコンバインを提供する。【解決手段】刈取前処理装置は、穀稈を掻込んで後方に搬送する掻込装置と、搬送された穀稈の株元を切断する刈刃装置と、搬送された穀稈を一側に寄せ集めるオーガ装置と、寄せ集められた穀稈を脱穀装置に搬送するフィーダハウスを備え、オーガ装置のオーガフレームの後壁の上部に、左右方向に延在する第１回転軸を設け、第１回転軸の左部に、エンジンの出力回転が伝動されるスプロケット４６と、スプロケットの左側に隣接させて第１プーリ５５を設け、掻込装置の掻込リールの第２回転軸６１の左部に第２プーリ６５を設け、第２回転軸の両側部を、第１回転軸に後部を回転自在に外嵌した前後方向に延在する左リールアームと右リールアームで支持し、第１回転軸の軸心視において、スプロケットの径と第１プーリの径を略同一径に形成した。【選択図】図１０
2020080716.tif 000002
【特許請求の範囲】
【請求項１】
機体フレーム（１）の前側に圃場の穀稈を収穫する刈取前処理装置（３）と、該刈取前処理装置（３）の後方に脱穀装置（４）を備えたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、
前記オーガ装置（３Ｃ）のオーガフレーム（４０）の後壁の上部に、左右方向に延在する第１回転軸（４５）を設け、
該第１回転軸（４５）の左部に、エンジンの出力回転が伝動されるスプロケット（４６）と、該スプロケット（４６）の左側に隣接させて第１プーリ（５５）を設け、
前記掻込装置（３Ａ）の掻込リール（６０）の第２回転軸（６１）の左部に第２プーリ（６５）を設け、
該第２回転軸（６１）の両側部を、前記第１回転軸（４５）に後部を回転自在に外嵌した前後方向に延在する左リールアーム（６７Ａ）と右リールアーム（６７Ｂ）で支持し、
前記第１回転軸（４５）の軸心視において、前記スプロケット（４６）の径と第１プーリ（５５）の径を略同一径に形成したコンバイン。
【請求項２】
前記左リールアーム（６７Ａ）に、前記第１プーリ（５５）と第２プーリ（６５）を左側から覆う矩形状の第１カバー（６８）を装着し、
前記オーガフレーム（４０）の左壁に、前記刈刃装置（３Ｂ）にエンジンの出力回転を伝動するヨーク軸（３２）を左側から覆う矩形状の第２カバー（４９）を装着し、
正面視において、前記第１カバー（６８）の左部を、前記第２カバー（４９）の左部よりも機体内側に設けた請求項１のコンバイン。
【請求項３】
前記掻込リール（６０）を下降状態にした場合に、前記第１カバー（６８）の下部と第２カバー（４９）の上部が近接する構成とした請求項２記載のコンバイン。
【請求項４】
前記左リールアーム（６７Ａ）の前部に、穀稈を後方に案内する案内ガイド（７０）を設け、
該案内ガイド（７０）を、前記左リールアーム（６７Ａ）の前部から前後方向に延在する取付部（７０Ａ）と、該取付部（７０Ａ）の前端部に固定されたガイド本体（７０Ｂ）で形成し、
平面視において、該ガイド本体（７０Ｂ）は、前記第１カバー（６８）の前側を前方右側から後方左側に向かって延在した後に、前記第１カバー（６８）の左壁に沿って後方左側に向かって折曲させた請求項２又は３記載のコンバイン。
【発明の詳細な説明】
【技術分野】
【０００１】
本発明は、刈取前処理装置を備えたコンバインに関するものである。
【背景技術】
【０００２】
従来の刈取前処理装置のフィーダハウスの枠体の左壁の外面に、エンジンの出力回転を刈取前処理装置の掻込装置と、刈取装置と、オーガ装置に伝動する伝動部材を設ける技術が知られている。（特許文献１）
【先行技術文献】
【特許文献】
【０００３】
【特許文献１】特開２０１４−１２４１６１号公報
【発明の概要】
【発明が解決しようとする課題】
【０００４】
しかし、特許文献１に開示された技術では、エンジンの出力回転が、刈取装置とオーガ装置には機体左側から伝動され、掻込装置には機体右側から伝動されるので、掻込装置の機体右側に設けられた伝動部品によって作業者の視界が狭くなる恐れがあった。
【０００５】
そこで、本発明の課題は、エンジンの出力回転を機体左側から掻込装置に伝動して、作業者の良好な視界を確保することができるコンバインを提供することにある。
【課題を解決するための手段】
【０００６】
上記課題を解決した本発明は次記のとおりである。
請求項１に係る発明は、機体フレーム（１）の前側に圃場の穀稈を収穫する刈取前処理装置（３）と、該刈取前処理装置（３）の後方に脱穀装置（４）を備えたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、前記オーガ装置（３Ｃ）のオーガフレーム（４０）の後壁の上部に、左右方向に延在する第１回転軸（４５）を設け、該第１回転軸（４５）の左部に、エンジンの出力回転が伝動されるスプロケット（４６）と、該スプロケット（４６）の左側に隣接させて第１プーリ（５５）を設け、前記掻込装置（３Ａ）の掻込リール（６０）の第２回転軸（６１）の左部に第２プーリ（６５）を設け、該第２回転軸（６１）の両側部を、前記第１回転軸（４５）に後部を回転自在に外嵌した前後方向に延在する左リールアーム（６７Ａ）と右リールアーム（６７Ｂ）で支持し、前記第１回転軸（４５）の軸心視において、前記スプロケット（４６）の径と第１プーリ（５５）の径を略同一径に形成したコンバインである。
【０００７】
請求項２に係る発明は、前記左リールアーム（６７Ａ）に、前記第１プーリ（５５）と第２プーリ（６５）を左側から覆う矩形状の第１カバー（６８）を装着し、前記オーガフレーム（４０）の左壁に、前記刈刃装置（３Ｂ）にエンジンの出力回転を伝動するヨーク軸（３２）を左側から覆う矩形状の第２カバー（４９）を装着し、正面視において、前記第１カバー（６８）の左部を、前記第２カバー（４９）の左部よりも機体内側に設けた請求項１のコンバインである。
【０００８】
請求項３に係る発明は、前記掻込リール（６０）を下降状態にした場合に、前記第１カバー（６８）の下部と第２カバー（４９）の上部が近接する構成とした請求項２記載のコンバインである。
【０００９】
請求項４に係る発明は、前記左リールアーム（６７Ａ）の前部に、穀稈を後方に案内する案内ガイド（７０）を設け、該案内ガイド（７０）を、前記左リールアーム（６７Ａ）の前部から前後方向に延在する取付部（７０Ａ）と、該取付部（７０Ａ）の前端部に固定されたガイド本体（７０Ｂ）で形成し、平面視において、該ガイド本体（７０Ｂ）は、前記第１カバー（６８）の前側を前方右側から後方左側に向かって延在した後に、前記第１カバー（６８）の左壁に沿って後方左側に向かって折曲させた請求項２又は３記載のコンバインである。  
【発明の効果】
【００１０】
請求項１記載の発明によれば、エンジンの出力回転を掻込リール（６０）に伝動する第１プーリ（５５）と第２プーリ（６５）を、掻込リール（６０）の左側に設けているので、第１プーリ（５５）と第２プーリ（６５）によって作業者の視界が妨げられることを防止することができる。
【００１１】
請求項２記載の発明によれば、請求項１記載の発明の効果に加えて、作業者が第１プーリ（５５）等と接触するのを防止して作業環境の安全性を高めることができる。また、掻込リール（６０）の左側の未刈穀稈の倒込みを防止して、機体の後方外側に向かって未刈穀稈を効率良く案内することができる。
【００１２】
請求項３記載の発明によれば、請求項１又は２記載の発明の効果に加えて、掻込リール（６０）の下降状態時に、第１カバー（６８）と第２カバー（４９）の隙間から未刈穀稈がオーガフレーム（４０）の内側に倒込むのを防止することができる。
【００１３】
請求項４記載の発明によれば、請求項３記載の発明の効果に加えて、第１カバー６８の後方左側に未刈穀稈を効率良く案内することができる。
【図面の簡単な説明】
【００１４】
【図１】コンバインの平面図である。
【図２】コンバインの左側面図である。
【図３】コンバインの正面図である。
【図４】フィーダハウスを前後方向に亘って縦方向に断面した左側面図である。
【図５】（ａ）はフィーダハウスを左右方向に亘って縦方向に断面した背面図であり、（ｂ）はテンショナーの左側面図である。
【図６】フィーダハウスにおける左側前部の平面図である。
【図７】オーガ装置と刈刃装置の左側面図である。
【図８】掻込装置における左側後部の平面図である。
【図９】掻込装置の従動側スプロケットに設けられたチェンカバーの平面図である。
【図１０】オーガカバーとリールカバーの平面図である。
【図１１】（ａ）は掻込装置の左側面図であり、（ｂ）はリールフレーム前部の平面図である。
【発明を実施するための形態】
【００１５】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１６】
操縦部５の下部には、エンジンが設けられ、操縦部５の後側には、脱穀・選別処理された穀粒を貯留するグレンタンク６が設けられ、グレンタンク６の後側には、穀粒を外部に排出する排出筒７が設けられている。排出筒７は、グレンタンク６の下部に連通され上下方向に延在する縦排出筒と、縦排出筒の上部に連通され前後方向に延在する横排出筒から形成されている。
【００１７】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００１８】
図４，５に示すように、フィーダハウス３Ｄの枠体１０の左側後部には、エンジンの出力回転が伝動されるスプロケット１１が設けられ、スプロケット１１は支軸（図示省略）に固定されている。枠体１０の左側前部には、スプロケット１１の回転が伝動されるスプロケット１２が設けられ、スプロケット１２の左側には、スプロケット１３が設けられ、スプロケット１２とスプロケット１３は回転軸１４に固定されている。枠体１０の左側前部におけるスプロケット１３の下側には、スプロケット１３の回転が伝動されるスプロケット１５が設けられ、スプロケット１５は回転軸１６に固定されている。また、枠体１０の左側中間部には、アイドラ１７と、アイドラ１７の前方下部にアイドラ１８が設けられている。
【００１９】
スプロケット１１と、アイドラ１７と、アイドラ１８、スプロケット１２にはチェン２０が巻回され、スプロケット１３とスプロケット１５にはチェン２１が巻回されている。
【００２０】
オーガ装置３Ｃのオーガフレーム４０の後壁には、チェン２１の張力を調整する張力調整装置２２と、チェン２０の張力を調整する張力調整装置２３を装着する支持部材２６が着脱自在に固定されている。
【００２１】
支持部材２６は、オーガフレーム４０の後壁に固定されるプレート部２６Ａと、プレート部２６Ａから後方に立設するプレート部２６Ｂから形成され、プレート部２６Ｂには、回転軸１４を挿通する開口部２７Ａと、開口部２７Ａの下側に回転軸１６を挿通する開口部２７Ｂが形成されている。
【００２２】
プレート部２６Ａにおけるチェン２１に対向する部位には、チェン２１の張力を調整する張力調整装置２２が設けられている。張力調整装置２２は、板状のバネ鋼で形成し、機体側面視において、後方に向かって凸状の円弧に湾曲させて形成するのが好ましい。これにより、チェン２１の張力を所定の範囲に維持して、チェン２１がスプロケット１３やスプロケット１５からの脱落を防止することができる。
【００２３】
プレート部２６Ｂの右面には、チェン２０の張力を調整する張力調整装置２３が設けられている。張力調整装置２３は、チェン２０に押接されるアイドラと、アイドラを回転自在に支持するアームから形成されている。アームの前部は、プレート部２６Ｂの右面の開口部２７Ａと開口部２７Ｂの間の部位に回転自在に固定されている。アームは、後下がりに延在し、アームの後部に支持されたアイドラは、チェン２０の下側から上側に向かってチェン２０を押接する。なお、アームには、アイドラを反時計方向に移動させる付勢手段（図示省略）が接続されている。これにより、チェン２０の張力を所定の範囲に維持して、チェン２０がスプロケット１１やスプロケット１２からの脱落を防止することができる。
【００２４】
枠体１０の左壁の前後方向の中間部には、チェン２０の張力を調整する張力調整装置２４が設けられている。張力調整装置２４は、スプロケット１３からスプロケット１１に移動するチェン２０を上側から下側に向かって押接する後アイドラと、スプロケット１３からスプロケット１１に移動するチェン２０を下側から上側に向かって押接する前アイドラと、後アイドラと前アイドラを連結するアームから形成されている。
【００２５】
後アイドラは、枠体１０の左壁の左面に設けられた支持部材２８に回転自在に支持されている。アームには、前アイドラを時計方向に移動させる付勢手段（図示省略）が接続されている。これにより、チェン２０の張力を所定の範囲に維持して、チェン２０がスプロケット１１やスプロケット１２からの脱落を防止することができ、また、チェン２０が移動時に左右方向に大きく蛇行するのを防止することができる。
【００２６】
回転軸１４の左部は、回転軸１６の左部よりも右側に位置している。回転軸１４の左部には、スプロケット３０が設けられ、回転軸１６の左部には、入力軸から入力される回転運動を出力軸の軸心まわりの往復揺動運動に変換する変換装置３１が設けられている。この変換装置３１は、回転軸１６の回転によって、ヨーク軸３２をヨーク軸３２の軸心回りに往復揺動させる。
【００２７】
図６，７に示すように、オーガ装置３Ｃのオーガフレーム４０の左壁と右壁には、左右方向に延在する回転軸４１が架設され、回転軸４１には、掻込装置３Ａによって掻込まれた穀稈をフィーダハウス３Ｄの連通口の前方に位置する掻込みオーガ４２が装着されている。
【００２８】
回転軸４１におけるオーガフレーム４０の左壁から左側のスプロケット３０に対向する部位には、スプロケット４３が設けられている。また、スプロケット４３の左側には、回転軸４１に伝動された回転を掻込装置３Ａに伝動するスプロケット４４が設けられている。なお、スプロケット４３の径は、スプロケット４４の径よりも大きく形成されている。
【００２９】
オーガフレーム４０の後壁の上面には、掻込装置３Ａの前後方向に延在するリールアーム（請求項における「左リールアーム」）６７Ａとリールアーム（請求項における「右リールアーム」）６７Ｂの後部を回転自在に支持する左右方向に延在する回転軸（請求項における「第１回転軸」）４５が設けられ、回転軸４５の左部には、スプロケット４３の回転が伝動されるスプロケット４６が設けられている。
【００３０】
スプロケット３０とスプロケット４３には、チェン４７が巻回され、オーガフレーム４０の後壁には、チェン４７の張力を調整する張力調整装置４７Ａが設けられている。張力調整装置４７Ａは、スプロケット３０からスプロケット４３に移動するチェン４７を上側から下側に向かって押接するアイドラと、アイドラを回転自在に支持するアームから形成されている。なお、アームには、アイドラを反時計方向に移動させる付勢手段（図示省略）が接続されている。これにより、チェン４７の張力を所定の範囲に維持して、チェン４７がスプロケット３０やスプロケット４３からの脱落を防止することができる。
【００３１】
スプロケット４４とスプロケット４６には、チェン４８が巻回され、オーガフレーム４０の後壁には、チェン４８の張力を調整する張力調整装置４８Ａが設けられている。張力調整装置４８Ａは、スプロケット４４からスプロケット４６に移動するチェン４８を下側から上側に向かって押接するアイドラと、アイドラを回転自在に支持するアームから形成されている。なお、アームには、アイドラを時計方向に移動させる付勢手段（図示省略）が接続されている。これにより、チェン４８の張力を所定の範囲に維持して、チェン４８がスプロケット４４やスプロケット４６からの脱落を防止することができる。
【００３２】
オーガ装置３Ｃのオーガフレーム４０の前部には、刈刃装置３Ｂの刈刃５０が設けられている。刈刃５０は、オーガフレーム４０の前部に固定された左右方向に延在する下刈刃５０Ａと、下刈刃５０Ａの上面を左右方向に移動する左右方向に延在する上刈刃５０Ｂで形成されている。
【００３３】
コーク軸３２の前部には、略上下方向に延在するアーム５１の上部が連結され、アーム５１の下部は、上刈刃５０Ｂの上面における左側後部に連結されている。これにより、回転軸１６の回転がヨーク軸３２を介してアーム５１に伝動され、上刈刃５０Ｂを左右方向に移動させることができる。
【００３４】
オーガフレーム４０の左壁には、ヨーク軸３２やスプロケット４４を左側から覆う着脱自在なオーガカバー（請求項における「第２カバー」）４９が設けられている。これにより、作業者がヨーク軸３２等の駆動部に接触するのを防止して、作業環境の安全性を高めることができる。
【００３５】
平面視において、ヨーク軸３２は、スプロケット４４の左側に近接して設けられている。これにより、ヨーク軸３２をオーガフレーム４０の左壁に近接させて配置して、オーガカバー４９の左側方向への膨出を抑制することができる。
【００３６】
回転軸４１の軸心視において、ヨーク軸３２は、変換装置３１の前部からアーム５１の後部に亘って前上がり姿勢に設けられている。これにより、ヨーク軸３２とアーム５１の交差角度を略９０度に設定することができ、上刈刃５０Ｂを下刈刃５０Ａの上面に沿って効率良く左右に移動させることができる。また、回転軸４１の軸心視において、ヨーク軸３２は、回転軸４１の上側に位置し、回転軸４１の近傍においては、ヨーク軸３２は、スプロケット４３の外周部よりも回転軸４１側に偏移した位置に設けられ、スプロケット４４の外周部上部に重なって設けられている。これにより、チェン４７とチェン４８が移動時に左右方向に大きく蛇行するのを防止することができる。
【００３７】
図８，９に示すように、回転軸４５におけるスプロケット４６の左側部位には、回転軸４５の回転を掻込リール６０に伝動するプーリ（請求項における「第１プーリ」）５５が設けられている。
【００３８】
プーリ５５の径は、スプロケット４６の径と略同一径に形成されている。これにより、チェン４８と後述するベルト６６の干渉を防止して、スプロケット４６の左側に近接させてプーリ５５を設けることができ、後述するリールカバー６８の左側方向への膨出を抑制することができる。
【００３９】
プーリ５５は、左側プーリ部と右側プーリ部に２分割されたプーリが好ましい。これにより、左側プーリ部と右側プーリ部の左右方向の間隔を調整して、掻込リール６０の回転速度を微調整することができる。この場合、左側プーリ部を移動させて右側プーリ部を固定する形態、右側プーリ部を移動させて左側プーリ部を固定する形態のいずれの形態を採用することも可能であるが、左側プーリ部を回転軸４５の左右方向に移動させ、右側プーリ部を回転軸４５に固定する形態が好ましい。これにより、プーリ５５、ベルト６７の保守・交換作業を容易に行うことができる。
【００４０】
スプロケット４６の外周部には、防塵用カバー５７を設けるのが好ましい。これにより、スプロケット４６に掻込装置３Ａによって掻込まれた雑草等の付着を防止することができる。なお、防塵用カバー５７の下部には、チェン４８が移動可能な開口部が形成されている。
【００４１】
図１０，１１に示すように、掻込リール６０の左部には、左右方向に延在する回転軸（請求項における「第２回転軸」）６１に基部が固定された支持アーム６２Ａが設けられ、掻込リール６０の右部には、回転軸６１に基部が固定された支持アーム６２Ｂが設けられている。
【００４２】
掻込リール６０の各頂部には、左側の支持アーム６２Ａと右側の支持アーム６２Ｂに架設されている左右方向に延在する丸鋼からなるタイン支持部６３が設けられいる。また、タイン支持部６３には、左右方向に所定の間隔を隔てて樹脂製のタイン６４が装着されている。
【００４３】
回転軸６１におけるプーリ５５に対向する部位には、プーリ（請求項における「第２プーリ」）６５が設けられ、プーリ５５とプーリ６５には、ベルト６７が巻回されている。回転軸６１におけるプーリ６５よりも右側の部位には、後部が回転軸４５に回転自在に固定された前後方向に延在するリールアーム６７Ａに回転自在に固定され、回転軸６１の右部は、後部が回転軸４５に回転自在に固定された前後方向に延在するリールアーム６７Ｂに回転自在に固定されている。これにより、回転軸４５の回転がプーリ５５、プーリ６５等を介して回転軸６１に伝動され、掻込リール６０を回転させることができる。また、回転軸４５の回転を回転軸６１に伝動する伝動部を、オーガフレーム４０の左壁の上方に設けたので、回転軸４５の左右方向の長さを短くして、伝動部の軽量化を図ることができる。なお、リールアーム６７Ａの前後方向の中間部とオーガフレーム４０の左壁は、リールアーム６７Ａの中間部を上下方向に移動させる昇降シリンダ（図示省略）が設けられている。
【００４４】
リールアーム６７Ａの左面には、プーリ５５、プーリ６５、ベルト６６を左側から覆う着脱自在なリールカバー（請求項における「第１カバー」）６８が設けられている。これにより、作業者がプーリ６５やルト６６等の駆動部に接触するのを防止して、作業環境の安全性を高めることができる。
【００４５】
平面視において、リールカバー６８の左壁の左面を、オーガカバー４９の左壁の左面よりも機体内側である右側に形成している。これにより、機体の進行方向の左側に位置する未刈穀稈の倒込みを防止して、機体の後方に未刈穀稈を効率良く案内することができる。
【００４６】
側面視において、掻込リール６０を下降させた下降状態時に、リールカバー６８の下部をオーガカバー４９の上部に近接するように形成するのが好ましい。これにより、掻込リール６０を下降させた下降状態で機体を走行させた場合に、リールカバー６８の下部とオーガカバー４９の上部の間に形成される隙間から未刈穀稈が掻込リール６０の内側に入り込むのを抑制することができる。
【００４７】
リールアーム６７Ａの前部には、未刈穀稈をリールカバー６８の機体外側である左側に案内する案内ガイド７０が設けられている。これにより、オーガフレーム４０の前端部に設けられた分草体７１で分草された未刈穀稈をリールカバー６８の左側に効率良く案内することができる。なお、分草体７１の後側には、未刈穀稈の株元を左側に案内するやナローガイド７２が設けられている。
【００４８】
平面視において、案内ガイド７０は、リールアーム６７Ａの前端部から前方に延在した後に前方左側に向かって延在する取付部７０Ａと、取付部７０Ａの前端部に固定されて、取付部７０Ａの前端部の前方右側から後方左側に向かって延在した後に湾曲して後方左側に向かって延在するガイド本体７０Ｂから形成されている。なお、ガイド本体７０Ｂの前方右側から後方左側に向かって延在する部位は、リールカバー６８の前部よりも前側に位置し、ガイド本体７０Ｂの湾曲する部位は、リールカバー６８の前側左部に位置し、ガイド本体７０Ｂの湾曲部位から後方左側に向かって延在する部位は、後方に延在するに従ってリールカバー６８の左面から離間するように形成されている。側面視において、案内ガイド７０は、後上がり姿勢に形成され、その後上がり傾斜角度は、リールアーム６７Ａの前部の後上がり傾斜角度と略同一角度に形成されている。これにより、案内ガイド７０の変形が抑制されて、未刈穀稈をリールカバー６８の左側により効率良く案内することができる。
【符号の説明】
【００４９】
１        機体フレーム
３        刈取前処理装置
３Ａ      掻込装置
３Ｂ      刈刃装置
３Ｃ      オーガ装置
３Ｄ      フィーダハウス
４        脱穀装置
３２      ヨーク軸
４０      オーガフレーム
４５      回転軸（第１回転軸）
４６      スプロケット
４９      オーガカバー（第２カバー）
５５      プーリ（第１プーリ）
６０      掻込リール
６１      回転軸（第２回転軸）
６５      プーリ（第２プーリ）
６７Ａ    リールアーム（左リールアーム）
６７Ｂ    リールアーム（右リールアーム）
６８      リールカバー（第１カバー）
７０      案内ガイド
７０Ａ    取付部
７０Ｂ    ガイド本体
【図１】
2020080716.tif 000003
【図２】
2020080716.tif 000004
【図３】
2020080716.tif 000005
【図４】
2020080716.tif 000006
【図５】
2020080716.tif 000007
【図６】
2020080716.tif 000008
【図７】
2020080716.tif 000009
【図８】
2020080716.tif 000010
【図９】
2020080716.tif 000011
【図１０】
2020080716.tif 000012
【図１１】
2020080716.tif 000013